(57)【要約】【課題】映像伝送地点に複数種類のパラボラ反射鏡を運び込む必要が無く、取材時の機動性を阻害しない反射鏡アンテナを提供する。【解決手段】中央鏡面部１４、及び中央鏡面部１４を支持して反射鏡面開口を異なった大きさに選択形成する鏡面支持部を備えたパラボラ反射鏡１１と、反射鏡面開口の大きさが変化可能なパラボラ反射鏡１１の焦点位置に配置される給電器１２とを有する。給電器１２は、反射鏡面開口の大きさに合わせて長さを変更する給電器１２の支持部１２ａにより支持されている。パラボラ反射鏡１１は、反射鏡面部の湾曲度合いが変化するように鏡面支持部による反射鏡面部の支持状態を変更することで前記反射面開口を異なった大きさにすると共に、給電器１２は反射鏡面部からの距離を変更する。【選択図】図１
2006304061.tif 000002
【特許請求の範囲】
【請求項１】
反射鏡面部、及び前記反射鏡面部を支持して反射鏡面開口を異なった大きさに選択形成する鏡面支持部を備えたパラボラ反射鏡と、
前記反射鏡面開口の大きさが変化可能なパラボラ反射鏡の焦点位置に配置される給電器と
を有する反射鏡アンテナ。
【請求項２】
前記給電器は、前記反射鏡面開口の大きさに合わせて長さを変更する給電器支持部により支持されている請求項１に記載の反射鏡アンテナ。
【請求項３】
前記パラボラ反射鏡は、前記反射鏡面部の湾曲度合いが変化するように前記鏡面支持部による前記反射鏡面部の支持状態を変更することで、前記反射面開口を異なった大きさにすると共に、前記給電器は反射鏡面部からの距離を変更する請求項１または２に記載の反射鏡アンテナ。
【請求項４】
前記鏡面支持部は、
基部の周囲に放射状に固定配置された複数の放射リブと、
前記各放射リブに展開可能に格納され、展開時、前記放射リブより給電器側に位置を変えて、前記放射リブによって支持された前記反射鏡面部とは湾曲度合いが異なるように前記反射鏡面部を支持する、複数の調整リブと、
前記各放射リブに展開可能に格納され、展開時、前記調整リブの延長方向に位置して前記反射鏡面部の外側拡径部分を支持する、複数の延長リブと
を有する請求項３に記載の反射鏡アンテナ。
【請求項５】
前記鏡面支持部は、
基部の周囲に放射状に配置され、且つ、その先端が前記給電器から離れる方向に移動することができるように配置された複数の放射リブと、
前記各放射リブに展開可能に格納され、展開時、前記各放射リブの延長方向に位置して前記反射鏡面部の外側拡径部分を支持する、複数の延長リブと
を有する請求項３に記載の反射鏡アンテナ。
【請求項６】
前記反射鏡面部は、
形状の変更が可能な伸縮性を有する部材からなり、鏡面中央部に配置される中央鏡面部と、
前記各延長リブの展開時、前記中央鏡面部の外側に配置されて、前記中央鏡面部を拡大した同心円の拡大部分となる周辺鏡面部と
を有する請求項４または５に記載の反射鏡アンテナ。
【請求項７】
前記パラボラ反射鏡は、前記各放射リブが連結された移動部材を前記支持部の延長方向に沿って移動させることにより、前記各調整リブ及び前記各延長リブを格納した前記各放射リブが前記支持部の周囲に集合した状態に折り畳まれる請求項４に記載の反射鏡アンテナ。
【請求項８】
前記パラボラ反射鏡は、前記各放射リブが連結された移動部材を前記支持部の延長方向に沿って移動させることにより、前記各延長リブを格納した前記各放射リブが前記支持部の周囲に集合した状態に折り畳まれる請求項５に記載の反射鏡アンテナ。
【発明の詳細な説明】
【技術分野】
【０００１】
この発明は、反射鏡アンテナに関し、特に、折り畳み可能な展開型の反射鏡アンテナに関する。
【背景技術】
【０００２】
従来、マイクロ波やミリ波といった高周波帯域で用いられる、軽量で折り畳み可能な展開型の反射鏡アンテナが知られている。このような展開型の反射鏡アンテナとして、例えば、放送事業者が、取材した記録映像やイベント会場等の中継映像を放送局まで無線伝送するときに使用する、展開型メッシュ反射鏡アンテナ（非特許文献１参照）がある。
【０００３】
この展開型メッシュ反射鏡アンテナは、マイクロ波伝送装置用のパラボラ反射鏡を備えているが、このパラボラ反射鏡は、放射状に配置した複数の放射リブに金属製のメッシュからなる鏡面を張った構成を有しており、各放射リブをリブ取付け部分で折り曲げることにより、例えば傘のように折り畳むことができるので、取材場所やイベント会場等への携行が容易になる。
【非特許文献１】中澤、田中、野本、“７ＧＨｚ帯ＦＰＵ用展開型メッシュ反射鏡アンテナの検討”、映情学技報、Ｖｏｌ.２８、Ｎｏ.６０、ｐｐ.１３−１６、２００４年１０月.
【発明の開示】
【発明が解決しようとする課題】
【０００４】
しかしながら、マイクロ波伝送装置用のパラボラ反射鏡は、伝送地点から放送局までの距離及び伝送路の状況に応じて、開口径が異なる数種類のパラボラ反射鏡の中から最適な開口径のものが選択されて用いられるため、パラボラ反射鏡を使用する場合、開口径の異なる数種類のパラボラ反射鏡を用意して伝送地点まで持って行く必要があった。
つまり、従来の展開型メッシュ反射鏡アンテナが軽量で折り畳み可能であり携行が容易であっても、反射鏡アンテナの使用に際しては、開口径の異なる数種類のパラボラ反射鏡を用意して取材先等の映像伝送地点に運び込む必要があった。このことは、取材時の機動性を阻害する要因となっていた。
【０００５】
この発明の目的は、映像伝送地点に複数種類のパラボラ反射鏡を運び込む必要が無く、取材時の機動性を阻害しない反射鏡アンテナを提供することである。
【課題を解決するための手段】
【０００６】
上記目的を達成するため、この発明に係る反射鏡アンテナは、反射鏡面部、及び前記反射鏡面部を支持して反射鏡面開口を異なった大きさに選択形成する鏡面支持部を備えたパラボラ反射鏡と、前記反射鏡面開口の大きさが変化可能なパラボラ反射鏡の焦点位置に配置される給電器とを有している。
【発明の効果】
【０００７】
この発明によれば、パラボラ反射鏡が、反射鏡面部、及び反射鏡面部を支持して反射鏡面開口を異なった大きさに選択形成する鏡面支持部を備え、給電器が、反射鏡面開口の大きさが変化可能なパラボラ反射鏡の焦点位置に配置されるので、映像伝送地点に複数種類のパラボラ反射鏡を運び込む必要が無く、取材時の機動性が阻害されない。
【発明を実施するための最良の形態】
【０００８】
以下、この発明を実施するための最良の形態について図面を参照して説明する。
図１は、この発明の一実施の形態に係る反射鏡アンテナの小開口時の一部破断した側方視による説明図であり、図２は、図１の放射リブ組の平面説明図である。図３は、この発明の一実施の形態に係る反射鏡アンテナの大開口時の一部破断した側方視による説明図であり、図４は、図３の放射リブ組の平面説明図である。
【０００９】
図１及び図３に示すように、反射鏡アンテナ１０は、パラボラ反射鏡１１、及びパラボラ反射鏡１１の略焦点位置に配置された給電器１２を有している。このパラボラ反射鏡１１は、回転放物面からなる鏡面（反射鏡面部）を有しており、鏡面の開口径を大小二種類の何れかに変更することができる。開口径が小さい小開口時の鏡面は、複数の放射リブ組１３（１個のみ図示）に支持された中央鏡面部１４からなり（図１参照）、開口径が大きい大開口時の鏡面は、複数の調整リブ１５（１個のみ図示）に支持された中央鏡面部１４及び、複数の延長リブ１６（１個のみ図示）に支持された周辺鏡面部１７からなる（図３参照）。周辺鏡面部１７は、中央鏡面部１４と一体化するように中央鏡面部１４の外側に隣接して配置される。
【００１０】
各放射リブ組１３は、円筒状の基部１８の外周面に、略等間隔離間して放射状に配置されており、基部１８には、基部１８に沿って摺動自在にスライド機構部１９が装着されている。スライド機構部１９の突出端（パラボラ反射鏡１１の焦点側）には、給電器１２の支持部１２ａが着脱自在に連結されている。即ち、各放射リブ組１３は、支持部１２ａの周囲に放射状に固定配置されている。
【００１１】
給電器１２は、鏡面の小開口時と大開口時で、その位置を変化させることができる。大開口時、支持部１２ａに延長部１２ｂを継ぎ足す（図３参照）ことにより、或いは支持部１２ａを延長可能に伸縮構造とすることにより、支持部１２ａ全体の長さを長くすることができ、給電器１２の位置を小開口時よりパラボラ反射鏡１１から遠く離すことができる。従って、給電器１２は、反射鏡開口の大きさに合わせて長さを変更する支持部１２ａにより、反射鏡開口の大きさが変化しても、常時、パラボラ反射鏡１１の焦点位置に配置される。なお、支持部１２ａは、給電器１２へ給電する給電線の機能も兼ねることができる。
【００１２】
図２及び図４に示すように、放射リブ組１３は、離間して並列配置した２個一組の放射リブ２０からなり、取付けプレート２１によって基部１８に取り付けられている（図１，３参照）。両放射リブ２０，２０の間には、調整リブ１５及び延長リブ１６が展開自在に格納されている（図１，２参照）。即ち、放射リブ組１３は、２個の放射リブ２０の間に調整リブ１５及び延長リブ１６を挟み込んだサンドイッチ構造を有している。放射リブ２０は、取付けプレート２１に設けた軸部２２を支軸として、調整リブ１５は、両放射リブ２０，２０の先端部（基部１８の反対側）に設けた軸部２３を支軸として、延長リブ１６は、軸部２３の下方に設けた軸部２４を支軸として、それぞれ自在に回動する。
【００１３】
従って、各調整リブ１５は、軸部２３を支軸とし図面に向かって時計回り方向に回動することで、放射リブ２０の上端（給電器１２側）から給電器１２に向かって突出させることができる（図３参照）。また、各延長リブ１６は、軸部２４を支軸とし図面に向かって反時計回り方向に回動することで、調整リブ１５の側辺（軸部２３側端辺）から調整リブ１５の延長方向外側に突出させることができ（図３，４参照）、これにより、鏡面の外側拡径部分を支持する。
【００１４】
調整リブ１５の上端と放射リブ２０の上端は、異なった曲線により、調整リブ１５と延長リブ１６の上端は、同一の曲線により、それぞれ形成されており、放射リブ２０或いは調整リブ１５のそれぞれの上端が形成する、回転放物面からなる鏡面の開口径は、調整リブ１５による場合の方が放射リブ２０による場合より大きい。つまり、調整リブ１５と延長リブ１６を放射リブ２０内に格納して、放射リブ２０のみを用いた場合（図１参照）、小開口となり、調整リブ１５と延長リブ１６を放射リブ２０から引き出して、調整リブ１５と延長リブ１６を用いた場合（図３参照）、調整リブ１５と延長リブ１６が一体的に連続して大開口となる。
【００１５】
各放射リブ２０は、アーム２５によって、基部１８の外表面を上下に摺動可能なリング部２６に連結されており、各アーム２５は、放射リブ２０及びリング部２６との各取付け部２５ａ，２５ｂが自在に回動する（図１，３参照）。
【００１６】
図５は、図１の反射鏡アンテナの収納状態を示す一部破断した側方視による説明図である。図５に示すように、反射鏡アンテナ１０は、リング部２６を取付けプレート２１の近傍に位置させることにより、調整リブ１５と延長リブ１６を格納した放射リブ２０（即ち、放射リブ組１３）を全て上方に折り畳んだ収納状態にすることができる。リング部２６が、取付けプレート２１に向かって上方移動すると、アーム２５を介して放射リブ２０（即ち、放射リブ組１３）が軸部２２を支点として上方回動し、放射リブ２０（即ち、放射リブ組１３）が略直立した状態になる（図５参照）。なお、図５においては、中央鏡面部１４の図示を省略している。
【００１７】
また、図１に示すように、スライド機構部１９は、基部１８内を自在に上下移動することができ、その移動範囲は、基部１８両開口からの露出部分に形成された上フランジ１９ａと下フランジ１９ｂによって規制される。スライド機構部１９には、上下移動方向に略直交して突出し、調整リブ１５の基部１８側下端に接触するリフト部１９ｃが設けられている。
【００１８】
このリフト部１９ｃは、スライド機構部１９の上下移動時、基部１８外周面の上下方向切り欠き（図示しない）を上下移動し、それに伴って調整リブ１５が軸部２３を支点に上下移動する。スライド機構部１９の上方移動は、調整リブ１５が上方移動し、その略全体を放射リブ組１３の上方へ飛び出させ露出状態となった時点で、規制手段（図示しない）により停止される。このように、パラボラ反射鏡１１の中心部である基部１８と調整リブ１５を、給電器１２側へ押し出すことにより、回転放物面からなる反射鏡面の湾曲度合いを調節することができる。
【００１９】
中央鏡面部１４は、例えば、細い金属糸を編み込んで形成した、伸縮性があるメッシュ（網の目）状部材からなり、小開口時、全ての放射リブ組１３を覆って放射リブ組１３に装着され（図１参照）、大開口時、全ての調整リブ１５を覆って調整リブ１５に装着される（図３参照）。装着固定された中央鏡面部１４は、全域が放射リブ組１３或いは調整リブ１５の上端面に沿って保持され、回転放物面を形成する。
【００２０】
図６は、中央鏡面部と放射リブ組の取り付け状態の説明図である。図６に示すように、中央鏡面部１４の表面側には、各調整リブ１５に重なるように鏡面抑えリブ２７が配置されている。鏡面抑えリブ２７は、端部固定具２８により放射リブ組１３の側辺（軸部２３側端辺）側上端に固定されると共に、鏡面固定具２９により、放射リブ組１３（即ち、放射リブ２０）と調整リブ１５に連結されている。これにより、調整リブ１５を放射リブ組１３に収納した小開口時、中央鏡面部１４には放射リブ２０の上端２０ａが接触し（（ａ）参照）、調整リブ１５が放射リブ組１３から露出する大開口時、中央鏡面部１４には調整リブ１５の上端１５ａが接触する（（ｂ）参照）。
【００２１】
図７は、図６の鏡面固定具取り付け部分を示し、（ａ）は第１の方法による放射リブ組の部分説明図、（ｂ）は第２の方法による放射リブ組の部分説明図である。図７に示すように、鏡面固定具２９は、中央鏡面部１４の裏面側へ抜け落ちることが無いように表面側に係止する係止部２９ａと、裏面側へ突出し露出する露出端部２９ｂを有している。この露出端部２９ｂに、孔（図示しない）を開けてワイヤ３０を通し、ワイヤ３０の一端を放射リブ２０に、他端を調整リブ１５に、それぞれ係止している。
【００２２】
そして、例えば、ワイヤ３０自体を収縮部材により形成し、或いはワイヤ３０の一端にばね部材を取り付けることにより、パラボラ反射鏡１１の小開口時と大開口時の何れの場合にもワイヤ３０に緩みが無い状態に調整しておく（第１の方法、（ａ）参照）。また、調整リブ１５に回動支点を有し、回動端を露出端部２９ｂに固着した可動アーム３１を設け、回動端を引っ張りバネ３２等により常時下方（調整リブ１５側）に引っ張っておく（第２の方法、（ｂ）参照）。これにより、パラボラ反射鏡１１の小開口時と大開口時の何れの場合にも、中央鏡面部１４を緩み無く張ることができるようにする。
【００２３】
図８は、大開口時のパラボラ反射鏡の平面図である。図８に示すように、パラボラ反射鏡１１は、小開口時、放射リブ組１３と中央鏡面部１４により、大開口時、中央鏡面部１４の外側に周辺鏡面部１７を配置することにより、それぞれ形成される。周辺鏡面部１７は、中央鏡面部１４を拡大した同心円の拡大部分となる円環状部に相当し、隣接する延長リブ１６の間に複数の部分鏡面板３３を装着して形成する。
【００２４】
部分鏡面板３３は、例えば、金属繊維や炭素繊維を繊維強化プラスチック（Ｆｉｂｅｒ  Ｒｅｉｎｆｏｒｃｅｄ  Ｐｌａｓｔｉｃｓ：ＦＲＰ）でコーティングして形成した硬い材料を用いて略台形状に形成されており、隣接する延長リブ１６の間隔に相当する大きさ（図８参照）に限らず、複数の延長リブ１６間に渡る大きさを有していても良い。複数の延長リブ１６間に渡る大きさにする場合、その大きさに相当する数の部分鏡面板３３を、予め一体成形しておく。なお、部分鏡面板３３の大きさは、延長リブ１６の数が多く配置されて隣接間隔が狭くなった場合、その間隔に合わせて小さくなる。
【００２５】
図９は、大開口時の部分鏡面板の取り付け例を示し、（ａ）は側面視による説明図、（ｂ）は背面視による説明図である。図９に示すように、延長リブ１６を、放射リブ組１３に組み込まずに単独で形成すると共に、延長リブ１６側に凹部３４ａと係止部３５ａ、放射リブ組１３側に凸部３４ｂと被係止部３５ｂを、それぞれ設ける。係止部３５ａは、被係止部３５ｂに対し係止固定或いは係止解除することができる。延長リブ１６は、予め、部分鏡面板３３の背面に接着しておく。放射リブ組１３に延長リブ１６を取り付ける際は、凹部３４ａに凸部３４ｂを挿入して、係止部３５ａを被係止部３５ｂに係止固定し、凹部３４ａへの凸部３４ｂ挿入状態を保持する（（ａ）参照）。
【００２６】
隣接する、延長リブ１６を接着した部分鏡面板３３同士の接続は、各部分鏡面板３３の隣接側面の一方に係止凸部３６ａを形成すると共に他方に被係止凹部３６ｂを形成して、係止凸部３６ａを被係止凹部３６ｂに係止することにより行う（（ｂ）参照）。接続する部分鏡面板３３は、１枚或いは２枚以上を一体化したもの（例えば、３枚を一体化したものを図示）の何れでも良い。
【００２７】
従って、反射鏡アンテナ１０は、調整リブ１５及び延長リブ１６を格納したままの放射リブ組１３に中央鏡面部１４を取り付けた状態で、小開口のパラボラ反射鏡１１とすることができる。また、放射リブ組１３から延長リブ１６を引き出して延長リブ１６を展開すると共に、スライド機構部１９を給電器１２側（即ち、上方）へ押し出すことにより、調整リブ１５を給電器１２側へ押し出して放射リブ組１３から露出させる。そして、延長リブ１６に部分鏡面板３３を装着して、調整リブ１５に取り付けられた中央鏡面部１４と、部分鏡面板３３からなる周辺鏡面部１７を一体化した状態で、大開口のパラボラ反射鏡１１とすることができる。
【００２８】
つまり、放射リブ組１３、調整リブ１５及び延長リブ１６は、中央鏡面部１４と周辺鏡面部１７からなる鏡面部を支持して、反射鏡開口を異なった大きさに選択形成する鏡面支持部として機能する。この鏡面部からなるパラボラ反射鏡は、反射鏡開口の大きさの変化に対応して、反射鏡鏡面の給電器１２を焦点とする回転方物面の湾曲の度合いを変更する。
【００２９】
更に、大開口時の給電器１２の位置を、小開口時と比べてパラボラ反射鏡１１から遠く離すことにより、焦点距離と開口径の比（ＦＤ比）を一定にすることができるので、開口径が変化しても、同じ一次給電部を用いることができる。その上、運搬時や不使用時には、調整リブ１５及び延長リブ１６を格納したまま放射リブ組１３を折り畳んだ収納状態にすることができる。
従って、反射鏡アンテナ１０を用いることにより、映像伝送地点に複数種類のパラボラ反射鏡を運び込む必要が無く、取材時の機動性が阻害されることもない。
【００３０】
図１０は、この発明の他の実施の形態に係る反射鏡アンテナの大開口時の一部破断した側方視による説明図である。図１０に示すように、反射鏡アンテナ４０は、調整リブ１５を備えず、放射リブ組１３（即ち、放射リブ２０）の開きを大きくしている。その他の構成及び作用は、反射鏡アンテナ１０と同様である。
【００３１】
基部１８は、放射リブ２０の基部１８側の端辺２０ｂが入り込むことができるように、基部１８の外周面に、例えば、その外周面上下方向に沿って切り欠かれた開口（図示しない）からなるリブ広がり調整部を有している。このリブ広がり調整部に、放射リブ２０の基部１８側の端辺２０ｂが入り込むことにより、リング部２６が基部１８の下端近傍まで下方移動することができ、その結果、放射リブ組１３（即ち、放射リブ２０）の開きを大きくすることができる。放射リブ組１３の開きが小開口時より大きくなることにより、調整リブ１５（図１参照）を用いることなく、即ち、小開口を形成する放射リブ２０を用いて（図中、ａ参照）、大開口時における回転放物面の湾曲に近づけることができる。
つまり、放射リブ組１３及び延長リブ１６は、中央鏡面部１４と周辺鏡面部１７からなる鏡面部を支持して、反射鏡開口を異なった大きさに選択形成する鏡面支持部として機能する。
【００３２】
上述したように、反射鏡アンテナ１０は、基部１８の周囲に放射状に固定配置された複数の放射リブ組１３と、各放射リブ組１３に展開可能に格納されて、展開時、開口径及び湾曲度合いの異なる回転放物面からなる複数の鏡面（反射鏡面部）を形成する複数の調整リブ１５及び延長リブ１６により、鏡面を支持しており、また、反射鏡アンテナ４０は、複数の放射リブ組１３と複数の延長リブ１６により、鏡面を支持している。
【００３３】
これら鏡面支持部により支持される鏡面は、形状の変更が可能な伸縮性を有する部材からなり、鏡面中央部に配置される中央鏡面部１４と、各リブの展開時、中央鏡面部１４の外側に配置されて、中央鏡面部１４を拡大した同心円の拡大部分となる周辺鏡面部１７とを有する。
つまり、パラボラ反射鏡１１は、反射鏡面開口の大きさの変化に対応して、反射鏡面部の湾曲度合いが変化するように鏡面支持部による反射鏡面部の支持状態を変更すると共に、給電器１２の距離を変更する。
そして、パラボラ反射鏡１１は、放射リブ組１３が連結された移動部材（リング部２６）を支持部１２ａの延長方向に沿って移動させることにより、調整リブ１５と延長リブ１６、或いは延長リブ１６を格納した放射リブ組１３が支持部１２ａの周囲に集合した状態に、折り畳まれる。
【００３４】
このように、この発明に係る反射鏡アンテナ１０（４０）は、折り畳み可能な展開型アンテナに開口径を大きくする機能を追加することにより、一つのアンテナを持ち運ぶだけで、伝送距離や伝搬路等の使用時の状況に応じてより適した開口径のパラボラ反射鏡の選択が可能となる、小型軽量で可搬性に優れた折り畳み可能な展開型の反射鏡アンテナとすることができる。よって、映像伝送地点に複数種類のパラボラ反射鏡を運び込む必要が無く、取材時の機動性が阻害されない。
【図面の簡単な説明】
【００３５】
【図１】この発明の一実施の形態に係る反射鏡アンテナの小開口時の一部破断した側方視による説明図である。
【図２】図１の放射リブ組の平面説明図である。
【図３】この発明の一実施の形態に係る反射鏡アンテナの大開口時の一部破断した側方視による説明図である。
【図４】図３の放射リブ組の平面説明図である。
【図５】図１の反射鏡アンテナの収納状態を示す一部破断した側方視による説明図である。
【図６】中央鏡面部と放射リブ組の取り付け状態の説明図である。
【図７】図６の鏡面固定具取り付け部分を示し、（ａ）は第１の方法による放射リブ組の部分説明図、（ｂ）は第２の方法による放射リブ組の部分説明図である。
【図８】大開口時のパラボラ反射鏡の平面図である。
【図９】大開口時の部分鏡面板の取り付け例を示し、（ａ）は側面視による説明図、（ｂ）は背面視による説明図である。
【図１０】この発明の他の実施の形態に係る反射鏡アンテナの大開口時の一部破断した側方視による説明図である。
【符号の説明】
【００３６】
１０，４０  反射鏡アンテナ
１１  パラボラ反射鏡
１２  給電器
１２ａ  支持部
１２ｂ  延長部
１３  放射リブ組
１４  中央鏡面部
１５  調整リブ
１５ａ  上端
１６  延長リブ
１７  周辺鏡面部
１８  基部
１９  スライド機構部
１９ａ  上フランジ
１９ｂ  下フランジ
１９ｃ  リフト部
２０  放射リブ
２０ａ  上端
２０ｂ  端辺
２１  取付けプレート
２２，２３，２４  軸部
２５  アーム
２５ａ，２５ｂ  取付け部
２６  リング部
２７  鏡面抑えリブ
２８  端部固定具
２９  鏡面固定具
２９ａ  係止部
２９ｂ  露出端部
３０  ワイヤ
３１  可動アーム
３２  引っ張りバネ
３３  部分鏡面板
３４ａ  凹部
３４ｂ  凸部
３５ａ  係止部
３５ｂ  被係止部
【図１】
2006304061.tif 000003
【図２】
2006304061.tif 000004
【図３】
2006304061.tif 000005
【図４】
2006304061.tif 000006
【図５】
2006304061.tif 000007
【図６】
2006304061.tif 000008
【図７】
2006304061.tif 000009
【図８】
2006304061.tif 000010
【図９】
2006304061.tif 000011
【図１０】
2006304061.tif 000012